(57)【要約】【課題】就寝者の寝起き動作や睡眠を妨げることなく頭部周囲の浮遊塵埃及び半浮遊塵埃を除去し清浄化する空気清浄機を提供すること。【解決手段】就寝者１１の頭部後方に配置される本体部１０と、前記本体部１０に内蔵される送風手段１２と、前記本体部１０に内蔵される気流清浄化手段１３と、前記本体部１０に構成され清浄化気流１６を吹き出す吹き出し口１４と、前記本体部１０に構成される吸い込み口１５と、前記就寝者１１の頭部上方を覆うように前記本体部１０に取り付けられるカバー部１７とを備え、前記カバー部１７は就寝者１１の寝起き動作の範囲外へ移動可能に構成することにより、粒子が大きい半浮遊塵埃２２が就寝者１１の頭部周囲に落下することを防ぐと共に、長時間浮遊する浮遊塵埃２１が頭部周囲への侵入することを防ぐことができる。【選択図】図１
2012002367.tif 000002
【特許請求の範囲】
【請求項１】
就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記カバー部は就寝者の寝起き動作の範囲外へ移動可能に構成された空気清浄機。
【請求項２】
カバー部は、カバー部移動手段と就寝者検知手段を有し前記就寝者検知手段の検知結果に基づいてカバー部移動手段を動作させる構成とした請求項１に記載の空気清浄機。
【請求項３】
カバー部は、略水平方向の水平回転軸を有し前記水平回転軸を中心とした回転動作によって就寝者の寝起き動作の範囲外へ移動する構成とした請求項１に記載の空気清浄機。
【請求項４】
カバー部は、下端部の外面に略水平方向のリブ構造を有する構成とした請求項１に記載の空気清浄機。
【請求項５】
カバー部は、常にカバー部の内面が上方から見えないように移動する構成とした請求項１に記載の空気清浄機。
【請求項６】
カバー部は、カバー部移動手段と塵埃検知手段を有し前記塵埃検知手段の検知結果に基づいてカバー部移動手段を動作させる構成とした請求項１に記載の空気清浄機。
【請求項７】
カバー部は、角度を変えずに平行移動手段によって移動される構成とした請求項１に記載の空気清浄機。
【発明の詳細な説明】
【技術分野】
【０００１】
本発明は、気流を発生させ室内の局所的な空間を清浄化する空気清浄機に関するものである。
【背景技術】
【０００２】
従来、この種の空気清浄機としては、ベッドの頭側に設けられた吹き出し部からベッド上に清浄化気流を発生させ、就寝者の頭部周囲を清浄化しているものがあった（例えば特許文献１参照）。
【０００３】
図４において、空気清浄機はベッド部１の頭側からベッド部１の下方にわたって本体部２が構成されており、本体部２の内部には送風手段（図示せず）と気流清浄化手段（図示せず）が配置されている。本体部２には吸い込み部５が設けられており、本体部２のベッド部１の頭側には吹き出し口６が設けられている。気流清浄化手段によって塵埃を除去された空気は清浄化気流７として吹き出し口６から吹き出される。清浄化気流７はベッド部１上の就寝者８の頭部に向けて流される。就寝者８の頭部周囲の浮遊塵埃９は清浄化気流７によって足側へと運ばれ就寝者８の頭部周囲は清浄化される。
【先行技術文献】
【特許文献】
【０００４】
【特許文献１】特開２０００−１７１０６７号公報
【発明の概要】
【発明が解決しようとする課題】
【０００５】
しかしながら、従来の空気清浄機では、長時間浮遊し気流に乗りやすい浮遊塵埃を就寝者の頭部周囲から取り除くことはできるが、例えば花粉のように粒子が大きく気流に乗りにくいため落下しやすい半浮遊塵埃を取り除くには清浄化気流を強めなければならないという課題を有していた。
【０００６】
例えば、睡眠中の就寝者が花粉などの塵埃を吸引しアレルギー反応によって目が覚めてしまうことを防いだり、また例えば副交感神経が優位であるためアレルギー反応が過剰になる目覚めの瞬間に花粉などの塵埃の吸引を防いだりするためには、浮遊塵埃だけでなく半浮遊塵埃まで就寝者の頭部周囲から取り除く必要があるが、強められた清浄化気流が睡眠中の就寝者にあたることで就寝者は不快に感じ睡眠が妨げられるという課題を有していた。
【０００７】
またマスクなどを身につけることで就寝者が浮遊塵埃と半浮遊塵埃の吸引を防ぐこともできるが、マスクを身につけること自体が不快であり、就寝者の睡眠が妨げられるという課題を有していた。
【０００８】
さらに、従来の空気清浄機に、就寝者の頭部周囲への半浮遊塵埃の落下を防ぐため就寝者の頭部上方にカバー部を設けると就寝者の寝起き動作が妨げられるという課題を有していた。
【０００９】
本発明は、上記従来の課題を解決するもので、就寝者の寝起き動作や睡眠を妨げることなく頭部周囲の浮遊塵埃及び半浮遊塵埃を除去し清浄化する空気清浄機を提供することを目的とする。
【課題を解決するための手段】
【００１０】
前記従来の課題を解決するために、本発明の空気清浄機では、就寝者頭部の上方にカバー部を設け、そのカバー部を就寝者の寝起き動作の範囲外へ移動可能に構成したものである。
【００１１】
これにより、就寝者の頭部の上方にカバー部を設けることで、半浮遊塵埃が就寝者の頭部周囲に落下することを防ぐことができ、浮遊塵埃は清浄化気流を強めることなく頭部周囲への侵入を防ぐことができる。そのため強い清浄化気流が当たって就寝者の睡眠が妨げられることなく就寝者の頭部周囲を清浄化できる。またカバー部は就寝者の寝起き動作の範囲外へ移動可能に構成されているため就寝者の寝起き動作を妨げることもない。
【発明の効果】
【００１２】
本発明の空気清浄機は、強い清浄化気流を発生させる必要が無いため就寝者の睡眠を妨げることがなく、カバー部によって就寝者の寝起き動作を妨げることもなく、就寝者の頭部周囲を清浄化することができる。
【図面の簡単な説明】
【００１３】
【図１】本発明の実施の形態１における空気清浄機の斜視図
【図２】（ａ）本発明の実施の形態１における空気清浄機の側面図、（ｂ）同カバー部移動中の空気清浄機の側面図、（ｃ）同カバー部移動後の空気清浄機の側面図
【図３】（ａ）本発明の実施の形態２における空気清浄機の側面図、（ｂ）同、カバー部移動後の空気清浄機の側面図
【図４】従来の空気清浄機の側断面図
【発明を実施するための形態】
【００１４】
第１の発明は、就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記カバー部は就寝者の寝起き動作の範囲外へ移動可能に構成することにより、カバー部によって粒子が大きく落下しやすい半浮遊塵埃が就寝者の頭部周囲に落下することを防ぐことができ、長時間浮遊する浮遊塵埃は気流にのりやすいため清浄化気流を強めることなく頭部周囲への侵入を防ぐことができる。そのため強い清浄化気流が当たって就寝者の睡眠が妨げられること無く就寝者の頭部周囲を清浄化できる。またカバー部は就寝者の寝起き動作の範囲外へ移動可能に構成されており就寝者の寝起き動作を妨げることもない。
【００１５】
第２の発明は、特に第１の発明のカバー部を、カバー部移動手段と就寝者検知手段を有し前記就寝者検知手段の検知結果に基づいてカバー部移動手段を動作させる構成とすることにより、カバー部は就寝者の動作を検知してカバー部移動手段によって移動されるため、就寝者は自らの動作に合わせてカバー部を移動させる必要がなくなるため使い勝手を高めることができる。
【００１６】
第３の発明は、特に第１の発明のカバー部を、略水平方向の水平回転軸を有し前記水平回転軸を中心とした回転動作によって就寝者の頭部上方から移動する構成とすることにより、就寝者の頭部がカバー部に当たった場合にもカバー部は水平回転軸を中心に回転することで衝撃が逃がされるため安全性を高めることができる。
【００１７】
第４の発明は、特に第１の発明のカバー部を、下端部の外面に略水平方向のリブ構造を有する構成とすることにより、カバー部が移動する際にカバー部の外面に落下し付着した半浮遊塵埃がカバー部の外面に沿って移動し就寝者の頭部周囲に落下することを防ぐこと
ができ、より確実に就寝者の頭部周囲を清浄化することができる。
【００１８】
第５の発明は、特に第１の発明のカバー部を、常にカバー部の内面が上方から見えないように移動する構成とすることにより、移動の過程で半浮遊塵埃がカバー部の内面に落下付着し再びカバー部が就寝者の頭部上方に戻る際にカバー部の内面から付着していた半浮遊塵埃が離れて就寝者の頭部周囲に落下することが無く、より確実に就寝者の頭部周囲を清浄化することができる。
【００１９】
第６の発明は、特に第１の発明のカバー部を、カバー部移動手段と塵埃検知手段を有し前記塵埃検知手段の検知結果に基づいてカバー部移動手段を動作させる構成とすることにより、カバー部は浮遊塵埃を検知してカバー部移動手段によって移動されるため半浮遊塵埃の落下を防ぐ時のみ就寝者の頭部上方へ位置することとなり、カバー部が就寝者の頭部上方に位置している時間が短くなり就寝者が頭部上方にカバー部が存在することから圧迫感を受ける時間が減り快適性を増すことができる。
【００２０】
第７の発明は、特に第１の発明のカバー部を、角度を変えずに平行移動手段によって移動される構成とすることにより、カバー部が移動する際にカバー部外面に落下し付着した半浮遊塵埃が移動することを防ぐことができ、より確実に就寝者の頭部周囲を清浄化することができる。
【００２１】
以下、本発明の実施の形態について、図面を参照しながら説明する。なお、本実施の形態によって本発明が限定されるものではない。
【００２２】
（実施の形態１）
図１は、本発明の実施の形態１における空気清浄機の斜視図を示すものである。図１において、空気清浄機は本体部１０を有しており、本体部１０は就寝者１１の頭側後方に配置されている。本体部１０には送風手段１２（図示せず）と気流清浄化手段１３（図示せず）が配置されている。本体部１０の正面に吹き出し口１４が設けられており、本体部１０の背面には吸い込み口１５（図示せず）が設けられている。吹き出し口１４からは清浄化気流１６が就寝者１１の頭部周囲に向けて吹き出されている。本体部１０の正面側にはカバー部１７が設けられている。カバー部１７は移動可能に構成されている。
【００２３】
図２（ａ）は本発明の実施の形態１における空気清浄機の側面図を示すものであり、図２（ｂ）は同空気清浄機のカバー部が移動中の状態を示す側面図であり、図２（ｃ）は同空気清浄機のカバー部の移動後の状態を示す側面図である。
【００２４】
図２（ａ）において、カバー部１７は就寝者１１の頭部上方を覆うように配置されており、花粉などのアレルゲンと接触することでアレルギー反応を起こす就寝者１１の目、鼻、口を含め頭部全体は、上方から見るとカバー部１７の陰に隠れた状態になっている。
【００２５】
カバー部１７は水平回転軸１８を有しており、図中で反時計回りに回転可能に設置されている。さらに水平回転軸１８にはカバー部移動手段１９（図示せず）としてモータ１９Ａ（図示せず）が取り付けられており、就寝者１１の頭部の下の枕には就寝者検知手段２０として圧力センサ２０Ａが設置されている。圧力センサ２０Ａには就寝者１１の頭部から荷重が加わっている。
【００２６】
またカバー部１７の周囲には浮遊塵埃２１（図示せず）が浮遊している。同時にカバー部１７の上方からは半浮遊塵埃２２が落下しつつあり、カバー部１７の外面には既に落下した半浮遊塵埃２２が付着している。そして、カバー部１７の下端の外面には略水平方向のリブ構造２３が設けられている。
【００２７】
図２（ｂ）において、就寝者１１は起き上がっており、圧力センサ２０Ａには荷重が加わっていない。カバー部１７はモータ１９Ａによって水平回転軸１８を中心に回転動作され就寝者１１の頭部上方から本体部１０の上方へと移動しており、就寝者１１の寝起き動作の範囲外に移っている。そして、カバー部１７の外面に落下し付着していた半浮遊塵埃２２は、外面に沿って移動しておりリブ構造２３の位置に引っかかり留まっている。
【００２８】
図２（ｃ）において、就寝者１１は存在しない。モータ１９Ａは動作を停止しており、カバー部１７は本体部１０の上方からさらに本体部１０の背部まで移動された状態で停止されている。カバー部１７の外面に落下したのちに移動してリブ構造２３に留まっていた半浮遊塵埃２２はカバー部１７の外面から落ちている。そして、カバー部１７は内面が上から見えない角度で回転を止めており、半浮遊塵埃２２はカバー部１７の内面に落ちずに床面に落下している。
【００２９】
以上のように構成された空気清浄機について、以下その動作、作用を説明する。図２（ｃ）に示すように、就寝者１１が居ない場合に空気清浄機は停止しており、カバー部１７は本体部１０の背部に有り就寝者１１の寝起き動作の範囲外で停止している。そのため、就寝者１１は横たわろうとする際にカバー部１７を避ける必要が無いため容易に横たわることができる。
【００３０】
就寝者１１が横たわると圧力センサ２０Ａに加重が加えられ圧力センサ（就寝者検知手段）２０ではその加重が検知される。圧力センサ２０Ａで検知される加重は就寝者１１の動作によって徐々に増え、首の力を抜き圧力センサ２０Ａの設けられた枕で頭部の加重を支えるようになると圧力センサ２０Ａで検知される加重は最大値となり変化しなくなる。
【００３１】
圧力センサ２０Ａで検知される加重が変化しなくなると空気清浄機が起動されモータ１９Ａが動作しカバー部１７を就寝者１１の頭部上方へと移動させる。また同時に送風手段１２が動作される。
【００３２】
カバー部１７が就寝者１１の頭部上方に移動すると、就寝者１１の頭部周囲に落下しようとする半浮遊塵埃２２はカバー部１７の外面に当たるようになる。カバー部１７の外面に当たった半浮遊塵埃２２の一部はカバー部１７の外面で反射し頭部周囲から離れた床面へと落下する。また一部の半浮遊塵埃２２はそのままカバー部１７の外面に沿って移動しリブ構造２３に当たって停止する。またさらに一部の半浮遊塵埃２２はカバー部１７の外面に付着した状態で残る。このため半浮遊塵埃２２が就寝者１１の頭部周囲に落下することはない。
【００３３】
一方、送風手段１２によって吹き出し口１４から空気が吸引され、その空気は気流清浄化手段１３で清浄化された後に吹き出し口１４から清浄化気流１６として吹き出される。清浄化気流１６は就寝者１１の頭部周囲へと吹き出される。浮遊塵埃２１は落下することなく長時間浮遊し、就寝者１１の呼吸による気流などのわずかな気流にのって就寝者１１の頭部周囲に近づこうとするが、清浄化気流１６によって就寝者１１の頭部周囲から除去される。このとき浮遊塵埃２１はわずかな気流にのって移動するため清浄化気流１６が就寝者１１に不快感を与えない微風であっても就寝者１１の頭部周囲を清浄化できる。
【００３４】
清浄化気流１６が微風であるため就寝者１１の睡眠が妨げられることは無く、浮遊塵埃２１も半浮遊塵埃２２も就寝者１１の頭部周囲から除去されるため例えば花粉などによりアレルギー反応が引き起こされ目が覚めるということもない。
【００３５】
続いて、就寝者１１が睡眠から目覚めると就寝者１１は起き上がる動作を行う。この時
、カバー部１７は半浮遊塵埃２２の落下を防ぐため就寝者１１の頭部上方に位置しており就寝者１１の寝起き動作の範囲内にある。そのためカバー部１７の移動よりも就寝者１１の起き上がる動作が速いと就寝者１１がカバー部１７に当たってしまう。そのため就寝者１１が起き上がる場合には、加重が変化しなくなってからカバー部１７を移動させた就寝者１１が横たわる場合とは異なり、圧力センサ２０Ａにかかる加重があらかじめ決めた量を越えて減少すると荷重が変化している最中からモータ１９Ａを動作させはじる。
【００３６】
カバー部１７は水平回転軸１８を中心に回転することで就寝者１１の寝起き動作の範囲外である本体部１０の上方から背部へと移動していく。その際、カバー部１７の下端は回転動作によって上方に動きつつ図面左側へと移動していくことになる。したがってカバー部１７は起き上がりの動作に伴って上方へと移動してくる就寝者１１の頭部から離れるように上方へと移動しつつ寝起き動作の範囲外へ移動していくことになるためカバー部１７と就寝者１１の頭部は接触しにくい。
【００３７】
さらに、カバー部１７と就寝者１１が接触してもカバー部１７の動こうとする方向と就寝者１１の動こうとする方向は同じく上方であることからカバー部１７が水平回転軸１８を中心に回転することで衝撃が逃がされるため安全性が高い。
【００３８】
就寝者１１の寝起き動作に伴ってカバー部１７は自動的に就寝者１１の寝起き動作範囲外に移動するため就寝者１１はカバー部１７の存在を意識せず操作も行う必要が無いため快適に生活できる。
【００３９】
一方、就寝者１１が睡眠から目覚めた瞬間は副交感神経が優位でありアレルギー反応が過剰になるため、就寝者１１が起き上がり動作を始めた瞬間も浮遊塵埃と半浮遊塵埃を頭部周囲から除去する必要がある。そのため就寝者１１の起き上がりが検知されカバー部１７が移動し始めると同時に清浄化気流１６を強め浮遊塵埃２１だけでなく半浮遊塵埃２２も除去する。就寝者１１は睡眠から目覚めた状態であるため清浄化気流１６が睡眠を妨げることにはならない。
【００４０】
また同時にカバー部１７が移動するのに伴ってカバー部１７の外面に付着していた半浮遊塵埃２２も移動しはじめてしまう。半浮遊塵埃２２は外面に沿って移動し落下しようとするがリブ構造２３に当たるため落下せずに止まる。したがって起き上がり動作に伴うカバー部１７の動作によって、睡眠中にカバー部１７の外面に積もっていた半浮遊塵埃２２が一気に就寝者１１の頭部周囲に落下してくることは無く、より確実に就寝者１１の頭部周囲を清浄化できる。
【００４１】
さらにカバー部１７が回転するにつれリブ構造２３は略水平方向から鉛直方向に向きを変え最終的にほぼ上下が逆向きになり、それに伴ってリブ構造２３に当たって止まっていた半浮遊塵埃２２は逆方向に転がって移動し始める。半浮遊塵埃２２は外面に沿って移動した後、カバー部１７の逆の端部にはリブ構造２３が設けられていないことからカバー部１７の外面から離れる。この時にカバー部１７は就寝者１１の頭部上方から既に移動しているため半浮遊塵埃２２は就寝者１１の頭部の周囲には落下せず床面に落下し、就寝者１１の頭部周囲は清浄に保たれる。またこれによってカバー部１７の外面も半浮遊塵埃２２の付着していない清潔な状態に戻る。
【００４２】
カバー部１７が移動を終えると、送風手段１２も停止され清浄化気流１６も止められる。カバー部１７は就寝者１１の寝起き動作の範囲外へ移動しカバー部１７は内面が上から見えない角度で回転を停止し、再び就寝者１１が横たわるまでその状態を維持する。この状態で半浮遊塵埃２２が落下してくると、半浮遊塵埃２２はカバー部１７の外面に当たる可能性は有るがカバー部１７は内面が上から見えない角度で停止しているため半浮遊塵埃
２２はカバー部１７の内面に付着することはない。そのためカバー部１７の内面に半浮遊塵埃２２が付着し、再びカバー部１７を就寝者１１の頭部上方へ移動させた際にカバー部１７の内面に付着した半浮遊塵埃２２が就寝者１１の頭部周囲に落下してしまう恐れがなく、より確実に就寝者１１の頭部周囲を清浄化できる。
【００４３】
就寝者１１が横たわると、再びカバー部１７は、就寝者１１の頭部上方へと移動され送風手段１２が動作される。
【００４４】
（実施の形態２）
図３（ａ）は本発明の実施の形態２における空気清浄機の側面図を示すものであり、図３（ｂ）は同空気清浄機のカバー部が移動後の状態を示す側面図である。
【００４５】
図３（ａ）において、カバー部１７は就寝者１１の頭部上方を覆うように配置されている。カバー部１７は平行移動手段２４として平行リンク機構２４Ａを有している。さらに平行リンク機構２４Ａにはカバー部移動手段１９（図示せず）としてモータ１９Ａ（図示せず）が取り付けられており、就寝者１１の頭部の下に就寝者検知手段２０として圧力センサ２０Ａが設置されている。またカバー部１７の上部に塵埃検知手段２５として半浮遊塵埃２２を検知する赤外線粒子検知センサ２５Ａが設けられている。また本体部１０からは清浄化気流１６（図示せず）が吹き出されている。
【００４６】
図３（ｂ）において、カバー部１７はモータ１９Ａによって動作され平行リンク機構２４Ａにより平行移動されている。カバー部１７は就寝者１１の頭部上方から就寝者１１の寝起き動作の範囲外となる本体部１０の上方に移動されている。それに伴って赤外線粒子検知センサ２５Ａもより高い位置に移動している。また本体部１０からは清浄化気流１６（図示せず）が吹き出されている。
【００４７】
以上のように構成された空気清浄機について、以下その動作、作用を説明する。先ず初めに、空気清浄機は、カバー部１７を就寝者１１の寝起き動作範囲がいである本体部１０の上方に位置させた状態で待機している。就寝者１１が横たわり圧力センサ２０Ａによってその動作が検知されると空気清浄機が動作され清浄化気流１６が吹き出される。一方でモータ１９Ａは動作されない。
【００４８】
続いて、圧力センサ２０Ａに加重が加えられ就寝者１１が検知された状態で赤外線粒子検知センサ２５Ａが半浮遊塵埃２２を検知するとモータ１９Ａが動作しカバー部１７は就寝者１１の頭部上方に移動される。赤外線粒子検知センサ２５Ａが待機位置にあるカバー部１７に落下してきた半浮遊塵埃２２を検知するとその周囲に同様の半浮遊塵埃２２が存在していると考えられ、その一部は就寝者１１の頭部周囲へと落下しつつあると予想することができる。
【００４９】
待機状態においてカバー部１７は本体部１０の上方に位置しているため赤外線粒子検知センサ２５Ａもより高い位置に存在しており、落下していく半浮遊塵埃２２をより高い位置で検知することができる。そのため半浮遊塵埃２２が就寝者１１の頭部周囲に落下するまでの時間的猶予を確保することができる。赤外線粒子検知センサ２５Ａが半浮遊塵埃２２を検知させた後に半浮遊塵埃２２が落下するよりも早くカバー部１７を就寝者１１の頭部上方に移動させることで、就寝者１１の頭部周囲に半浮遊塵埃２２が落下することを防ぐことができる。
【００５０】
カバー部１７を就寝者１１の頭部上方に移動させた後にあらかじめ設定した時間が経過するとモータ１９Ａは逆に動作しカバー部１７を再び本体部１０の上方へと移動させる。この時、カバー部１７の外面には半浮遊塵埃２２が落下し付着しているが、平行リンク機
構２４Ａによりカバー部１７は角度を変えずに平行移動されるため半浮遊塵埃２２は再び動き出しにくくカバー部１７の外面に付着した状態を維持する。そのためカバー部１７の外面に付着していた半浮遊塵埃２２が就寝者１１の頭部周囲に落下することは無く、就寝者１１の頭部周囲は清浄に保たれる。
【００５１】
続けて、カバー部１７が本体部１０の上方に位置した状態で就寝者１１が起き上がると、圧力センサ２０Ａが就寝者１１の起き上がり動作を検知し空気清浄機は動作を止める。カバー部１７は本体部１０の上方に位置した状態を維持される。
【００５２】
また、赤外線粒子検知センサ２５Ａが半浮遊塵埃２２を検知してカバー部１７が就寝者１１の頭部上方に移動した状態で就寝者１１が起き上がった際には、圧力センサ２０Ａで検知される就寝者１１の起き上がり動作に基づいてカバー部１７が移動する。就寝者１１が起き上がりカバー部１７に当たる前にモータ１９Ａを動作させカバー部１７を就寝者１１の寝起き動作の範囲外となる本体部１０の上方に移動させる。その後、カバー部１７が本体部１０の上方に位置した状態を維持し空気清浄機は動作を止める。
【００５３】
カバー部１７は半浮遊塵埃２２の落下を防ぐ際にのみ就寝者１１の頭部上方に移動するため就寝者１１はカバー部１７から圧迫感を受けることなく快適に生活できる。また就寝者１１の寝起き動作に伴ってカバー部１７は自動的に移動するため就寝者１１はカバー部１７の存在を意識せず操作も行う必要が無いため快適に生活できる。
【００５４】
上記した実施の形態における構成は、必要に応じて適宜組み合わせて使用することができるものであり、実施の形態そのものの構成に限られるものではない。
【産業上の利用可能性】
【００５５】
以上のように、本発明にかかる空気清浄機は気流によって局所的な空間を清浄化する装置に適用できる。
【符号の説明】
【００５６】
２、１０  本体部
８、１１  就寝者
１２  送風手段
１３  気流清浄化手段
６、１４  吹き出し口
１５  吸い込み口
７、１６  清浄化気流
１７  カバー部
１８  水平回転軸
１９  カバー部移動手段
２０  就寝者検知手段
２２  半浮遊塵埃
２３  リブ構造
２４  平行移動手段
２５  塵埃検知手段
【図１】
2012002367.tif 000003
【図２】
2012002367.tif 000004
【図３】
2012002367.tif 000005
【図４】
2012002367.tif 000006